【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
第１ユーザの第１端末とコンテンツの送受信を行う端末の情報処理方法であって、
前記第１ユーザの前記第１端末によって送信された第１コンテンツを前記端末に送信する送信依頼を前記端末の通信部によって送信することと、
前記第１端末から前記送信依頼に基づき送信された前記第１コンテンツを前記通信部によって受信することと、
前記第１コンテンツを前記端末の表示部に表示することとを含む。
【請求項２】
請求項１に記載の情報処理方法であって、
前記第１コンテンツは、前記第１端末の前記第１ユーザによる、前記端末のユーザに対する前記第１コンテンツの送信の承認に関する操作に基づいて、前記第１端末から送信される。
【請求項３】
請求項１または請求項２に記載の情報処理方法であって、
前記送信依頼に基づいて、前記第１コンテンツを含む複数のコンテンツを前記通信部によって受信することと、
前記複数のコンテンツを時系列に表示することとを含む。
【請求項４】
請求項３に記載の情報処理方法であって、
前記複数のコンテンツは、前記第１ユーザとは異なる第２ユーザの第２端末によって送信された第２コンテンツを含み、
前記複数のコンテンツは、前記第１端末、または前記第１端末と前記第２端末とによって送信される。
【請求項５】
請求項４に記載の情報処理方法であって、
前記複数のコンテンツは、前記第１端末の前記第１ユーザによる、前記端末のユーザに対する少なくとも前記第１コンテンツの送信の承認に関する操作と、前記第２端末の前記第２ユーザによる、前記端末のユーザに対する少なくとも前記第２コンテンツの送信の承認に関する操作とに基づいて、前記第１端末、または前記第１端末と前記第２端末とによって送信される。
【請求項６】
請求項１から請求項５のいずれか一項に記載の情報処理方法であって、
前記第１コンテンツは、前記端末による前記送信依頼の送信より前に、前記端末のユーザの第３端末に前記第１端末によって送信されたコンテンツであり、
前記第３端末は、前記端末とは異なる。
【請求項７】
請求項１から請求項６のいずれか一項に記載の情報処理方法であって、
前記端末から第３コンテンツを前記第１端末に対して送信することと、
前記第１コンテンツと前記第３コンテンツとを時系列の順に前記表示部に表示することとを含み、
前記第１コンテンツは、前記第３コンテンツよりも前記時系列で古い位置に表示される。
【請求項８】
請求項１から請求項７のいずれか一項に記載の情報処理方法であって、
前記端末のユーザによる前記端末に対する入力に基づき、前記送信依頼を前記通信部によって送信することを含む。
【請求項９】
請求項８に記載の情報処理方法であって、
前記入力は、前記端末のユーザによるスワイプ操作による入力である。
【請求項１０】
請求項１から請求項５のいずれか一項に記載の情報処理方法であって、
前記端末のユーザの第３端末と、前記第１ユーザと、コンテンツの送受信を開始した日時に関する情報を前記通信部によって送信することを含み、
前記第３端末は、前記端末とは異なる。
【請求項１１】
請求項１から請求項１０のいずれか一項に記載の情報処理方法であって、
アプリケーションソフトを前記端末にインストールすることを含み、
前記送信依頼は、前記アプリケーションソフトによって送信され、
前記第１コンテンツは、前記アプリケーションソフトによって、前記表示部に表示される。
【請求項１２】
請求項１１に記載の情報処理方法であって、
前記送信依頼は、前記端末への前記アプリケーションソフトのインストールに基づいて送信される。
【請求項１３】
請求項１２に記載の情報処理方法であって、
前記送信依頼は、前記端末への前記アプリケーションソフトのインストールに基づいて、前記アプリケーションソフトで関連付けられた前記第１ユーザに対して送信される。
【請求項１４】
請求項１から請求項１３のいずれか一項に記載の情報処理方法であって、
前記第１コンテンツは、前記第１ユーザによって修正され、
前記第１ユーザによって修正された前記第１コンテンツは、前記送信依頼に基づいて前記端末に送信される。
【請求項１５】
請求項１から請求項１４のいずれか一項に記載の情報処理方法であって、
前記送信依頼は、サーバを介して、前記第１端末に送信され、
前記第１コンテンツは、前記サーバを介して、前記端末に送信される。
【請求項１６】
請求項１から請求項１５のいずれか一項に記載の情報処理方法であって、
前記第１コンテンツは、メッセージ、画像、音声、動画のうち少なくとも一つである。
【請求項１７】
第１ユーザの第１端末とコンテンツの送受信を行う端末のコンピュータに実行させるプログラムであって、
前記第１ユーザの前記第１端末によって送信された第１コンテンツを前記端末に送信する送信依頼を前記端末の通信部によって送信することと、
前記第１端末から前記送信依頼に基づき送信された前記第１コンテンツを前記通信部によって受信することと、
前記第１コンテンツを前記端末の表示部に表示することとを含む。
【請求項１８】
第１ユーザの第１端末とコンテンツの送受信を行う端末であって、
前記第１ユーザの前記第１端末によって送信された第１コンテンツを前記端末に送信する送信依頼を送信し、前記第１端末から、前記送信依頼に基づき送信された前記第１コンテンツを受信する通信部と、
前記第１コンテンツを表示する表示部とを備える。
【手続補正２】
【補正対象書類名】明細書
【補正対象項目名】００１０
【補正方法】変更
【補正の内容】
【００１０】
本発明に係る端末の情報処理方法は、第１ユーザの第１端末とコンテンツの送受信を行う端末の情報処理方法であって、第１ユーザの第１端末によって送信された第１コンテンツを端末に送信する送信依頼を端末の通信部によって送信することと、第１端末から送信依頼に基づき送信された第１コンテンツを通信部によって受信することと、第１コンテンツを端末の表示部に表示することとを含む。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
本発明に係る端末は、第１ユーザの第１端末とコンテンツの送受信を行う端末であって、第１ユーザの第１端末によって送信された第１コンテンツを端末に送信する送信依頼を送信し、第１端末から、送信依頼に基づき送信された第１コンテンツを受信する通信部と、第１コンテンツを表示する表示部とを備える。
【手続補正１４】
【補正対象書類名】明細書
【補正対象項目名】００２２
【補正方法】変更
【補正の内容】
【００２２】
本発明に係るプログラムは、第１ユーザの第１端末とコンテンツの送受信を行う端末のコンピュータに実行させるプログラムであって、第１ユーザの第１端末によって送信された第１コンテンツを端末に送信する送信依頼を端末の通信部によって送信することと、第１端末から送信依頼に基づき送信された第１コンテンツを通信部によって受信することと、第１コンテンツを端末の表示部に表示することとを含む。